(57)【要約】【課題】  全体軽量で組立性に優れ、分解時において場所をとらず運搬性に優れた愛玩動物用のシーソーを提供することを目的とする。【解決手段】  シーソー１０は、ドッグスポーツとして知られるアジリティ競技に用いられるのに好適とされ、図１（Ｂ）に示すように長尺方形状の紙製面材を複数枚重ね合わせて形成されるシーソー板１１と、全体略円柱形状のものとされる支承体１２とを組立ることにより形成される。シーソー１０はシーソー板１１の長手方向中心部を図１（Ｂ）に示す支承体１２の支着部１４に支着することにより、図１（Ａ）に示すように組立てられ、支承体１２の支着部１４にシーソー板１１を支着する際、支承体１２はその軸線方向Ｘをシーソー板１１の長手方向と交差する状態としている。【選択図】        図１
2005270013.tif 000002
【特許請求の範囲】
【請求項１】
全体長尺状の平板材で、上面長手方向を愛玩動物の歩走路とし、長尺状の紙製面材の複数枚を重ね合わせて形成可能とするシーソー板と、
上記シーソー板の長手方向中心部を床面あるいは地面に対する所定高さ位置に位置決め可能とし、シーソー板上面の歩走路における愛玩動物の歩走に伴い、シーソー板の長手方向での各端部を長手方向中心部を基準に揺動可能とし、底部を床面あるいは地面に載置可能とし、底部に対する上方所定高さ位置にシーソー板の長手方向中心部を支着可能とする支着部を備えた全体紙製からなる支承体と、
を備えてなる愛玩動物用のシーソー。
【請求項２】
シーソー板は、複数枚からなる長尺状の紙製面材の面部に接着剤を塗布し、相互に重ね合わせて貼着し、形成可能とする請求項１に記載の愛玩動物用のシーソー。
【請求項３】
シーソー板を形成可能とする長尺状の紙製面材のうち、重ね合わされ、愛玩動物が歩走する最上面の紙製面材を波板材としたことを特徴とする請求項１に記載の愛玩動物用のシーソー。
【請求項４】
支承体は全体略円柱形状のものとされ、その軸線方向をシーソー板の長手方向と交差する状態で、シーソー板の長手方向中心部の下方に配設され、側胴部を床面あるいは地面に転動可能に載置させ、該床面あるいは地面に接する側胴部に対する上方所定高さ位置の側胴部であって、軸線方向での各端部に対する中心側に、側胴部を切欠いた状態でシーソー板の長手方向中心部を係入・支着可能とする支着部を備えることとしてなる請求項１に記載の愛玩動物用のシーソー。
【請求項５】
シーソー板には長手方向中心部における愛玩動物の歩走路幅方向の両側に凸片が備えられ、一方、支承体は全体略円柱形状のものとされ、その軸線方向をシーソー板の長手方向と交差する状態で、シーソー板の長手方向中心部の下方に配設され、側胴部を床面あるいは地面に転動可能に載置させ、該床面あるいは地面に接する側胴部に対する上方所定高さ位置の側胴部であって、軸線方向での各端部に対する中心側に、側胴部を切欠いた状態でシーソー板の長手方向中心部を係入・支着可能とする支着部を備えることとし、該側胴部を切欠いた状態で備えられる支着部にはシーソー板の両側に備えられる凸片と嵌合可能な凹部を備えることとしてなる請求項１に記載の愛玩動物用のシーソー。
【請求項６】
全体略円柱形状とされる支承体は、略円板状の紙材の複数枚をその中心同士が重なり合うように相互に貼り併せて連接されるものである請求項４または５のいずれかに記載の愛玩動物用のシーソー。
【請求項７】
円板状の紙材のうち、形成される支承体の軸線方向での各端部に対する中心側に配設される紙材は、弧部の一部を除いて形成された弦部のを備えることとし、該弦部部分を、紙材の連接状態においてシーソー板の長手方向中心側を係入・支着するための部分とする請求項６に記載の愛玩動物用のシーソー。
【請求項８】
シーソー板は、複数枚からなる長尺状の紙製面材を相互に重ね合わせる状態とし、これらを結合部材で結合可能とする請求項１に記載の愛玩動物用のシーソー。
【請求項９】
支承体は全体略円筒形状の紙管材とされ、その軸線方向をシーソー板の長手方向と交差する状態で、シーソー板の長手方向中心部の下方に配設され、側胴部を床面あるいは地面に転動可能に載置させ、該床面あるいは地面に接する側胴部に対する上方所定高さ位置の側胴部であって、軸線方向での各端部に対する中心側に、側胴部を切欠いた状態でシーソー板の長手方向中心部を係入・支着可能とする支着部を備えることとしてなる請求項１に記載の愛玩動物用のシーソー。
【請求項１０】
シーソー板には、長手方向中心部における愛玩動物の歩走路幅方向の両側に外方に向けて突出される軸部が備えられ、一方、支承体はシーソー板の軸部に対応して歩走路幅方向の外方に一対備えられ、各支承体はシーソー板の軸部を遊挿する軸受部を備え、複数枚の紙材を重ね合わせて形成可能とされる請求項１に記載の愛玩動物用のシーソー。
【請求項１１】
シーソー板の長手方向中心部における愛玩動物の歩走路幅方向の両側に外方に向けて突出される軸部は、全体略円筒形状をなす一本の紙管材とされ、その軸線方向をシーソー板の長手方向と交差する状態で、シーソー板の長手方向下方に配設され、軸線方向での各端部に対する中心側に、側胴部を切欠いた状態でシーソー板の長手方向中心部を係入・支着可能とする支着部を備え、軸線方向における各端部を各支承体の軸受部に遊挿させることとした請求項１０に記載の愛玩動物用のシーソー。
【請求項１２】
各支承体の軸受部は、紙管材の各端部を遊挿する丸孔からなる請求項１０または１１のいずれかに記載の愛玩動物用のシーソー。
【請求項１３】
シーソー板を形成する長尺状の紙製面材は、平板状の紙材より型抜きして形成されるものである請求項１に記載の愛玩動物用のシーソー。
【請求項１４】
シーソー板を形成する長尺状の紙製面材は、平板状の紙材に描象され、切取り線に沿って型抜き可能とされる請求項１に記載の愛玩動物用のシーソー。
【請求項１５】
支承体を構成する円板状の紙材は、平板状の紙材より型抜きして形成されるものである請求項６ないし７のいずれかに記載の愛玩動物用のシーソー。
【請求項１６】
支承体を構成する円板状の紙材は、シーソー板を形成する長尺状の紙製面材は、平板状の紙材に描象され、切取り線に沿って型抜き可能とされる請求項６ないし７のいずれかに記載の愛玩動物用シーソー。
【発明の詳細な説明】
【技術分野】
【０００１】
本発明は犬その他の愛玩動物を訓練させたり、運動させたり、遊ばせるために使用にするのに好適な愛玩動物用のシーソーに関する。
【背景技術】
【０００２】
犬その他の愛玩動物を遊ばせたり、訓練させるための遊具に関しては従来より様々なものが存在し、例えばハードル、歩道橋、トンネルなどの様々な遊具がペットショップ等で販売され、愛犬家等において使用されている。
【０００３】
こうした遊具を用い、犬を訓練する競技として最近アジリティと呼ばれるものが盛んに実施され、世界大会まで開催されるに至っている。アジリティは所定の規格外径を備えたシーソー、ハードル、スラローム、固形トンネルなどの障害物を、愛犬が飼主の指示に従って順次クリアしていき、各障害物のクリア状況とクリアタイムを参加犬同士で競わせるドッグスポーツとされている。アジリティは愛犬と飼主間の信頼関係を高め、また愛犬の俊敏性、健康増進を高めることができるため、その愛好者が年々増大する傾向にある。
【０００４】
一方でアジリティ競技に愛犬を参加させるためには、日頃、飼主が参加する愛犬をこれら障害物を用いて訓練しなければならず、最近ペットショップ等においてはこれらの障害物を販売したり、また一部愛犬家の間では日用大工で障害物を規格に沿って製作するなどの方法がとられている。
【非特許文献１】「アジリティーを楽しもう」http://www.fsinet.or.jp/kunren/agility.html
【発明の開示】
【発明が解決しようとする課題】
【０００５】
しかし、これら障害物（通常１０ヶ）を例えば公園などに運び、愛犬の訓練を実施する場合において、各障害物は木製あるいはプラスチック製のため、嵩ばり、高重量であるため、例えばトランクや荷台に入れて運ぶ場合、不効率で作業性が悪いものとされていた。
【０００６】
またペットショップ等においてこれらの障害物を販売する場合においても、かなりの売場スペース、保管スペースをとり、極めて不効率とされている。
【０００７】
例えば図１２は従来アジリティ競技に使用されるシーソーである。このシーソーは地面や床面などに載置して使用される支承体と全体長尺状の平板材からなるシーソー板２とにより構成され、シーソー板２の長手方向中心部を支承体１に軸支させるようにして、支承体１とシーソー板２の両者を設置場所において組立てるようにして使用される。こうして組立てられるシーソーのシーソー板２の上面長手方向は犬３の歩走路とされ、シーソー板２は犬３の歩走に伴い長手方向の各端部を支承体１に軸支される部分を中心に矢印θ方向へ揺動可能としている。すなわち、アジリティ競技におけるシーソーは、参加犬をシーソー板２の載置面側に揺動された位置から進行させ、歩走路を長手方向に歩走させて、シーソー板２を犬の自重により逆方向に揺動させてクリアさせる種目とされる。
【０００８】
アジリティ競技に使用されるシーソーは、シーソー板２の長さＬを３６５〜４２５ｃｍ、幅Ｗを３０ｃｍ、載置面に対する高さＨを６０〜７０ｃｍとして決められており、かなりの大きさとされている。
【０００９】
また支承体１とシーソー板２のそれぞれは通常木製あるいはプラスチック製であるため、嵩ばり、かなりの重さを有するものとされ、持ち運びに不便で、組立作業性も悪いものとされる。
【００１０】
そこで本発明は、上記従来の不具合に着目してなされたものであり、全体軽量で組立性に優れ、分解時において場所をとらず運搬性に優れた愛玩動物用のシーソーを提供することを目的としている。
【課題を解決するための手段】
【００１１】
上記目的を達成するため本発明は、全体長尺状の平板材で、上面長手方向を愛玩動物の歩走路とし、長尺状の紙製面材の複数枚を重ね合わせて形成可能とするシーソー板と、上記シーソー板の長手方向中心部を床面あるいは地面に対する所定高さ位置に位置決め可能とし、シーソー板上面の歩走路における愛玩動物の歩走に伴い、シーソー板の長手方向での各端部を長手方向中心部を基準に揺動可能とし、底部を床面あるいは地面に載置可能とし、底部に対する上方所定高さ位置にシーソー板の長手方向中心部を支着可能とする支着部を備えた全体紙製からなる支承体と、を備えてなる愛玩動物用のシーソーとしている。
【００１２】
また請求項２に係る発明で、シーソー板は、複数枚からなる長尺状の紙製面材の面部に接着剤を塗布し、相互に重ね合わせて貼着し、形成可能としている。これによりシーソー板は、使用時において容易に形成することが可能となる。
【００１３】
また請求項３に係る発明で、シーソー板を形成可能とする長尺状の紙製面材のうち、重ね合わされ、愛玩動物が歩走する最上面の紙製面材を波板材としたため、使用時において愛玩動物がシーソー板を歩走する際、愛玩動物が滑り落ちることもない。
【００１４】
また請求項４に係る発明で、支承体は全体略円柱形状のものとされ、その軸線方向をシーソー板の長手方向と交差する状態で、シーソー板の長手方向中心部の下方に配設され、側胴部を床面あるいは地面に転動可能に載置させ、該床面あるいは地面に接する側胴部に対する上方所定高さ位置の側胴部であって、軸線方向での各端部に対する中心側に、側胴部を切欠いた状態でシーソー板の長手方向中心部を係入・支着可能とする支着部を備えることとしているため、支承体とシーソー板の両者の結合を強固にすることを可能にしている。
【００１５】
また請求項５に係る発明で、シーソー板には長手方向中心部における愛玩動物の歩走路幅方向の両側に凸片が備えられ、一方、支承体は全体略円柱形状のものとされ、その軸線方向をシーソー板の長手方向と交差する状態で、シーソー板の長手方向中心部の下方に配設され、側胴部を床面あるいは地面に転動可能に載置させ、該床面あるいは地面に接する側胴部に対する上方所定高さ位置の側胴部であって、軸線方向での各端部に対する中心側に、側胴部を切欠いた状態でシーソー板の長手方向中心部を係入・支着可能とする支着部を備えることとし、該側胴部を切欠いた状態で備えられる支着部にはシーソー板の両側に備えられる凸片と嵌合可能な凹部を備えることとしているため、支承体とシーソー板の両者の結合を強固にすることを可能にしている。
【００１６】
さらに請求項６に係る発明においては、全体略円柱形状とされる支承体は、略円板状の紙材の複数枚をその中心同士が重なり合うように相互に貼り併せて連接されるものである請求項４または５のいずれかに記載の愛玩動物用のシーソーとしたため、シーソーを使用時において容易に形成することが可能となる。
【００１７】
さらに請求項７に係る発明においては、円板状の紙材のうち、形成される支承体の軸線方向での各端部に対する中心側に配設される紙材は、弧部の一部を除いて形成された弦部のを備えることとし、該弦部部分を、紙材の連接状態においてシーソー板の長手方向中心側を係入・支着するための部分とする請求項６に記載の愛玩動物用のシーソーとしたため、弦部においてシーソー板を安定した状態で係入・支着することが可能となる。
【００１８】
また請求項８に係る発明においては、シーソー板は、複数枚からなる長尺状の紙製面材を相互に重ね合わせる状態とし、これらを結合部材で結合可能としたため、使用時においてシーソー板を容易に組立てることが可能とされる。
【００１９】
また請求項９に係る発明においては、支承体は全体略円筒形状の紙管材とされ、その軸線方向をシーソー板の長手方向と交差する状態で、シーソー板の長手方向中心部の下方に配設され、側胴部を床面あるいは地面に転動可能に載置させ、該床面あるいは地面に接する側胴部に対する上方所定高さ位置の側胴部であって、軸線方向での各端部に対する中心側に、側胴部を切欠いた状態でシーソー板の長手方向中心部を係入・支着可能とする支着部を備えることとしてなる請求項１に記載の愛玩動物用のシーソーとしたため、シーソー板と支承体とを、使用時において容易に組立てることが可能となる。
【００２０】
また請求項１０に係る発明で、シーソー板には、長手方向中心部における愛玩動物の歩走路幅方向の両側に外方に向けて突出される軸部が備えられ、一方、支承体はシーソー板の軸部に対応して歩走路幅方向の外方に一対備えられ、各支承体はシーソー板の軸部を遊挿する支着部としての軸受部を備え、複数枚の紙材を重ね合わせて形成可能とされる請求項１に記載の愛玩動物用のシーソーとしたため軸部を軸受部に遊挿させ、シーソー板を支承体に支着させることが可能となる。
【００２１】
また請求項１１に係る発明で、シーソー板の長手方向中心部における愛玩動物の歩走路幅方向の両側に外方に向けて突出される軸部は、全体略円筒形状となる一本の紙管材とされ、その軸線方向をシーソー板の長手方向と交差する状態で、シーソー板の下方に配設され、軸線方向での各端部に対する中心側に、側胴部を切欠いた状態でシーソー板の長手方向中心部を係入・支着可能とする支着部を備え、軸線方向における各端部を各支承体の軸受部に遊挿させることとした請求項１０に記載の愛玩動物用のシーソーとしたため、支承体に対するシーソー板の支着をより簡易に行うことができ、両者の組立てを容易に行うことができる。
【００２２】
さらに請求項１２に係る発明で、各支承体の軸受部は、紙管材の各端部を遊挿する丸孔からなる請求項１０または１１のいずれかに記載の愛玩動物用のシーソーとしたため、支承体に対するシーソー板の支着をより簡易に行うことができ、両者の組立てを容易に行うことができる。
【００２３】
また請求項１３に係る発明で、シーソー板を形成する長尺状の紙製面材は、平板状の紙材より型抜きして形成されるものである請求項１に記載の愛玩動物用のシーソーとしたため、シーソー板を使用時において容易に形成することができる。
【００２４】
また請求項１４に係る発明で、シーソー板を形成する長尺状の紙製面材は、平板状の紙材に描象され、切取り線に沿って型抜き可能とされる請求項１に記載の愛玩動物用のシーソーとしたため、同じくシーソー板を使用時において容易に形成することができる。
【００２５】
また請求項１５に係る発明で、支承体を構成する円板状の紙材は、平板状の紙材より型抜きして形成されるものである請求項６ないし７のいずれかに記載の愛玩動物用のシーソーとしたため、支承体を使用時において容易に形成することができる。
【００２６】
また請求項１６に係る発明で、支承体を構成する円板状の紙材は、シーソー板を形成する長尺状の紙製面材は、平板状の紙材に描象され、切取り線に沿って型抜き可能とされる請求項６ないし７のいずれかに記載の愛玩動物用シーソーとしたため、同じく支承体を使用時において容易に形成することができる。
【００２７】
すなわち、本発明に係る愛玩動物用のシーソーは、構成部材としての支承体並びにシーソー板を軽量材からなる紙製とし、両者を簡易に組立て、結合して使用することが可能とされる。
【発明の効果】
【００２８】
以上の内容から本発明は、全体軽量で組立性に優れ、分解時において場所をとらず運搬性に優れた愛玩動物用のシーソーを提供することができるという効果を有する。
【発明を実施するための最良の形態】
【００２９】
以下図１ないし７に基づき、本発明を実施するための最良の形態を説明する。図１（Ａ）に示す実施形態に係るシーソー１０は、ドッグスポーツとして知られるアジリティ競技に用いられるのに好適とされ、図１（Ｂ）に示すように長尺方形状の紙製面材を複数枚重ね合わせて形成されるシーソー板１１と、全体略円柱形状のものとされる支承体１２とを組立ることにより形成される。
【００３０】
シーソー１０は床面あるいは地面からなる載置面１３に載置して使用され、シーソー板１１は長さＬを３６５〜４２５ｃｍ、幅Ｗを３０ｃｍとし、上面長手方向を犬の歩走路としている。シーソー１０は、シーソー板１１の長手方向中心部を図１（Ｂ）に示す支承体１２の支着部１４に支着することにより、図１（Ａ）に示すように組立てられる。
【００３１】
支承体１２の支着部１４にシーソー板１１を支着する際、支承体１２はその軸線方向Ｘをシーソー板１１の長手方向と交差する状態で、シーソー板１１の長手方向中心部の下方に配設され、この際支承体１２は支着部１４に対向する側胴部を載置面１３に転動可能に載置させるようにしている。
【００３２】
支承体１２に形成される支着部１４は、全体略円柱形状の形状の側胴部の軸線方向（Ｘ方向）での各端部に対する中心側を切欠いた状態で形成され、幅Ｗを有するシーソー板１１を係入・支着可能な軸線方向での長さを備えるものとされる。すなわち支着部１４はシーソー板１１を係入可能な軸線方向（Ｘ方向）での長さを有し、係入されたシーソー板１１と支承体１２を強固に結合させるようにしている。載置面１３に載置される支承体１２でのシーソー板１１の長手方向中心部の支着位置は、載置面１３に対して６０〜７０ｃｍの高さＨとされ、支着部１４はシーソー板１１を係入・支着することで、該シーソー板１１の中心部を該高さに位置決め可能としている。
【００３３】
これにより、シーソー板１１の上面の歩走路における犬の歩走に伴い、支承体１２が載置面１３を転動することとなり、シーソー板１１の長手方向での各端部を、長手方向中心部を基準に矢印θ方向に揺動することを可能にしている。
【００３４】
すなわち、シーソー１０はシーソー板１１の載置面１３側に揺動された位置から犬を進行させ、歩走路を長手方向に沿って歩走させることとし、シーソー板１１を犬の自重により逆方向に転動させてクリアさせる障害物とされる。
【００３５】
支承体１２の支着部１４に対して係入・支着されるシーソー板１１には、長手方向中心部における犬の歩走路幅方向の両側にそれぞれ凸片１５が備えられる（図１（Ｂ）参照）。一方、シーソー板１１を係入・支着する支承体１１の支着部１４には、上記凸片１５と嵌合可能な凹部１６が備えられる。すなわち支着部１４に対するシーソー板１１の係入・支着は、図１（Ｂ）に示すように凸片１５を対応する凹部１６に嵌合させる状態で行うようにしている。これにより、支承体１２とシーソー板１１との結合を強固にさせている。
【００３６】
シーソー１０の構成部材としてのシーソー板１１は、支承体１２に対する分解状態で図３に示すように全体扁平な平板状とされ、例えば車の荷台等に容易に積載することが可能とされる。またシーソー板１１は全体を紙製としているため、軽量で取扱性に優れ、搬送や組立作業も容易とされる。
【００３７】
一方、シーソー１０の構成部材としての支承体１２は、シーソー板１１に対する分解状態で図５に示すように円柱形状とされ、シーソー板１１と同様に車の荷台等に容易に積載することが可能とされる、また全体を紙製としているため、軽量で取扱性に優れ、搬送や組立作業も容易とされる。
【００３８】
シーソー１０の構成部材としてのシーソー板１１は、平面略同サイズの長方形状からなる紙製面材１７Ａ、１７Ｂ、１７Ｃの３枚を、図２に示すように相互に重ね合わせて貼着し、形成される。貼着は、重ね合わせる面部に予め接着剤を塗布することにより行われ、さらに最上面の紙製面材１７Ａの上面にも接着剤を塗布し、その上面に同サイズの長方形状からなる波板材１８を重ねて貼着することとしてなる。この波板材１８の部分が貼着状態でシーソー板１１の歩走路となり、シーソー１０の使用時において犬が歩走する際に滑りにくくするようにしている。
【００３９】
紙製面材１７Ａ〜１７Ｃのうち、面材１７Ａと１７Ｂの長手方向中心部の幅方向両側には、重合状態で凸片１５を構成する片部が予め備えられる。
【００４０】
紙製面材１７Ａ〜１７Ｃ、並びに波板材１８のそれぞれは、例えば平板状の段ボール原紙等の紙材を型抜きして形成することとしてもよい。また、こうした紙製面材１７Ａ〜１７Ｃは、図６に示すように平板状の段ボール紙の紙面１９に描象し、切取り線２０に沿って型抜きし、これらと波板材１８を重ね合わせてシーソー板１１を形成するようにしてもよい。
【００４１】
一方、シーソー１０の構成部材としての支承体１２は、略円板状の紙材の複数枚を、その中心点同士が重なり合うよう相互に貼り合わせて連接・形成され、図５に示すように全体略円柱形状となるよう形成可能とされる。
【００４２】
相互に例えば接着剤を用いて貼り合わされる支承体１２の構成部材としては、図４に示すように支承体１２の軸線方向での各端部から順に配設される円板材２１Ａ、２１Ｂ、２１Ｃと、軸線方向中心側に配設され、円板材の弧部の一部を除いて形成された弦部２２を備える切欠円板材２３および２４が存在する。
【００４３】
最外方端に配設される円板材２１Ａには、犬の足跡模様が描象され、支承体１２の形成状態において該模様を看者に視認可能にしている。円板材２１Ｃの上方には、他の切欠円板材２３と貼り合わされた状態において、支着部１４側に露出して凹部１６を構成する孔１６が備えられる。切欠円板材のうち軸線方向での端部側に配設される円板材２３は、弦部２２を中心に山折りにして立設され、弦部２２が上向きになるよう配設される（図４参照）。さらに軸線方向での略中央に配設される切欠円板材２４についても弦部２２が上向きになるよう配設され、こうして隣り合う各円板材２１Ａ〜２１Ｃ、２３、２４は、隣り合う円板材の面部同士を接着剤を用いて貼り合わされて連接され、軸線方向での各端部に対する中心側に配設される切欠円板材２３、２４の弦部２２が上向きに連接することで、シーソー板１１の長手方向中心部を係入・支着するための側胴部を切欠いた状態の支着部１４が形成されることとなる。
【００４４】
ここで図４で示す弦部２２を中心を山折りに立設された状態で配設され、他の円板材２３、２４、２１Ｃと連接される各切欠円板材２３の弦部２２を中心とする曲折された内面側を、接着剤を塗布しないようにすれば、連接される各円板材２３、２４は蛇腹状に曲折することができ、例えば図５に示す略円柱形状をなす支承体１２を矢印Ａ方向に曲折して、収納することが可能となる。
【００４５】
各円板材２１Ａ〜２１Ｃ並びに切欠円板材２３、２４のそれぞれは、例えば平板状の段ボール原紙等の紙材を型抜きして形成することとしてもよい。また、こうした円板材２１Ａ〜２１Ｃ、２３、２４は、図７に示すように平板状の段ボール紙の紙面２５に描象し、切取り線２６に沿って型抜きし、相互に張り合わせて支承体１２を形成するようにしてもよい。
【００４６】
このようにして形成されるシーソー１０は、構成部材としてのシーソー板１１並びに支承体１２がそれぞれ全体紙製で軽量とされ、シーソー板１１については分解状態で扁平とされ、また支承体１２については蛇腹状であるため曲折することができるので嵩ばることもなく、簡単に分解、組立てが行える利点がある。特に持ち運びや収納が簡単に行えるため、自動車の荷台に積載して、どこでもアジリティの訓練が簡単に行える利点がある。また全体紙製であるために、使用後は再生紙として利用したり、可燃物として処分することができ、環境面の利点もある。特に犬はこうした構成部材をかじることもあり、この場合本実施形態のシーソー板１１や支承体１２は全体紙製で無害なため、犬にとっても安全である。
【００４７】
またペットショップなどにおいて、型抜きされた各構成材（紙製面材１７Ａ〜１７Ｃ、１８や円板材２１Ａ〜２１Ｃ、２３、２４）をビニール袋に収納して販売することで、展示スペースや収納スペースをとることもない。
【００４８】
さらに図６に示す紙面１９や図７に示す紙面２５を袋や箱に収納し、キットとして販売して購入者においてシーソー板１１並びに支承体１２を形成させるようにしてもよい。
【実施例】
【００４９】
「第１実施例」
図８および図９は、本発明の第１実施例に係る。前記図１ないし図７に示す実施形態に係るシーソー１０では、シーソー板１１を構成する各紙製面材１７Ａ〜１７Ｃ、１８を相互に重ね合わせて貼り合わせるようにしているが、本第１実施例に係るシーソー３０においては、シーソー板３１を構成する各紙製面材１７Ａ〜１７Ｃ、１８を、図９に示すようにして相互に重ね合わせる状態とし、これらの重合された四隅の部分をそれぞれクリップ３２（結合部材）で一体化させるようにして形成される。
【００５０】
シーソー３０は、シーソー板３１の長手方向中心部を図８（Ｂ）に示す全体略円筒形状の支承体３３の支着部３４に支着することにより、図８（Ａ）に示すように組立てられる。
【００５１】
支承体３３の支着部３４にシーソー板３１を支着する際、支承体３３はその軸線方向Ｘをシーソー板３１の長手方向と交差する状態で、シーソー板３１の長手方向中心部の下方に配設され、この際支承体３３は支着部３４に対向する側胴部を載置面１３に転動可能に載置させるようにしている。ここで支承体３３は、一般に知られる紙管材を加工して形成される。
【００５２】
支承体３３に形成される支着部３４は、全体略円筒形状の形状の側胴部の軸線方向（Ｘ方向）での各端部に対する中心側を切欠いた状態で形成され、幅Ｗを有するシーソー板３１を係入・支着可能な軸線方向での長さを備えるものとされる。
【００５３】
このようにして形成されるシーソー３０においても、シーソー板３１と支承体３３のそれぞれは全体紙製とされ、しかも支承体３３は一般に使用される紙管材を加工して形成することが可能とされるため、極めてその製造が容易に行えることとなる。その他の構成および作用については前記実施形態を同様につき、説明を省略する。
【００５４】
「第２実施例」
図１０および図１１は、本発明の第２実施例に係る。このシーソー４０は、前記実施形態と略同様の構成からなるシーソー板４１を備える。このシーソー板４１における長手方向中心部における歩走路幅方向の下方には、歩走路より外方に向けて突出させる状態で、支軸４２が配設される。支軸４２は全体略円筒形状をなす一本の紙管材にて形成され、その軸線方向（Ｘ方向）をシーソー板４１の長手方向と交差する状態でシーソー板４１の下方位置に配設される。支軸４２は前記第１実施例における支承体３３と略同様の構成とされ、全体略円筒形状の側胴部の軸線方向（Ｘ方向）での各端部に対する中心側を切欠いた状態とされ、幅Ｗを有するシーソー板４１を係入・支着可能なシーソー板４１の係入支着部４３を備えるものとされる。
【００５５】
すなわち、支軸４２の係入支着部４３に対しては、図１０（Ｂ）に示すようにして、シーソー板４１の長手方向での中心部が係入・支着され、これによりシーソー板４１の長手方向中心部における歩走路幅方向両側において、支軸４２の各端部が外方に向けて突出される状態となる。この支軸４２の両端部が下記支承体に遊挿される軸部４２Ａとなる。
【００５６】
一方、支承体４４は、図１０（Ｂ）に示すようにシーソー板４１の軸部４２Ａに対応して歩走路幅方向の外方に一対備えられ、この支承体４４は矢印Ｂ方向より観てカマボコ形とされ、複数枚の段ボール紙を重ね合わせ、これらを貼り合わせて形成される。各支承体４４は載置面１３に対してその底部を支持させるように載置され、載置面１３に対する所定の高さ位置に前記支軸４２の軸部４２Ａを挿入・遊挿可能とする丸孔状の軸受部４５を穿設している。
【００５７】
すなわち係入支着部４３にシーソー板４１を係入・支着してなる支軸４２の軸部４２Ａは、図１１に示すように支承体４４の軸受部４５に挿入され、遊挿させることにより、シーソー板４１の長さ方向略中心位置を、載置面１３に対する所定位置に位置決めし、一対の支承体４４に対してシーソー板４１を支着させることが可能となる。すなわち、支承体４４において軸受部４５がシーソー板４１の支着部とされる。
【００５８】
軸受部４５に挿入し、遊挿される支軸４２の軸部４２Ａは、図１１に示すように軸受部４５を貫通し、支承体４４の外方において軸部４２Ａの端部に抜け止め用のリング体４６を嵌着自在としている。
【００５９】
図１０（Ｂ）並びに図１１に示すようにしてシーソー板４１、支軸４２並びに一対の支承体４４とにより、組立てられるシーソー４０は、犬がシーソー板４１の歩走路をその長手方向に沿って歩走することで軸受部４５を中心にシーソー板４１の両端が矢印θ方向に揺動されることとなる。
【００６０】
このようにして形成されるシーソー４０においても、シーソー板４１、支軸４２並びに支承体４４のそれぞれが全体紙製とされ、組立ても簡単で、分解時じおいても嵩ばることもなく、また軽量なので組立作業、搬送作業も楽に行うことができる。なお、第２実施例において軸受部４５を丸孔状としたが凹状としてもよい。また、第２実施例においては軸部４２Ａを、一本の紙管材からなる支軸４２の各端部に備えることとし、この支軸４２にシーソー板４１の下部を支着することとしているが、軸部をシーソー板４１の長手方向中心部の歩走路両側に独立して備えることとしてもよい。さらに軸部においては上記実施形態の凸片１５のようにシーソー板４１の両側においてシーソー板に一体で形成することとしてもよい。その他の構成および作用については前記実施形態並びに第１実施例と同様につき、説明を省略する。
【００６１】
なお、前記実施形態並びに第１、第２の各実施例においては、主として犬が訓練あるいは遊ぶためのシーソーとして本発明の内容を説明したが、本発明は犬用のシーソーに限定されるものではなく、例えば猫、その他の愛玩動物の遊具として利用できることについては自明である。
【００６２】
以上説明したように、本発明は全体軽量で組立性に優れ、分解時において場所をとらず運搬性に優れた愛玩動物用のシーソーを提供することができる。
【図面の簡単な説明】
【００６３】
【図１】（Ａ）は組立状態に係る実施形態のシーソーを示す斜視図である、（Ｂ）はその分解状態を示す斜視図である。
【図２】シーソー板を形成する状態を示す斜視図である。
【図３】形成されたシーソー板を示す斜視図である。
【図４】支承体を形成する状態を示す斜視図である。
【図５】形成された支承体を示す斜視図である。
【図６】シーソー板を構成する紙製面材を型抜きする前の状態に係る平板材の平面図である。
【図７】支承体を構成する各紙材を型抜きする前の状態を示す平面図である。
【図８】（Ａ）は組立状態に係る第１実施例のシーソーを示す斜視図であり、（Ｂ）はその分解状態を示す斜視図である。
【図９】シーソー板を形成する状態を示す斜視図である。
【図１０】（Ａ）は組立状態に係る第２実施例のシーソーを示す斜視図であり、（Ｂ）はその分解状態を示す斜視図である。
【図１１】図１０（Ａ）のＸＩ−ＸＩ線に沿う拡大断面図である。
【図１２】従来アジリティに使用されるシーソーの一例を示す斜視図である。
【符号の説明】
【００６４】
１，１２，３３，４４        支承体
２，１１，３１，４１，      シーソー板
３                          犬（愛玩動物）
１０，３０，４０            シーソー
１３                        載置面（床面、地面）
１４．３４                  支着部
１５                        凸片
１６                        凹部
１７Ａ，１７Ｂ，１７Ｃ      紙製面材
１８                        波板材
１９，２５                  紙面
２０，２６                  切取り線
３２                        クリップ（結合部材）
４２                        支軸
４２Ａ                      軸部
４３                        係入支着部
４５                        軸受部
４６                        リング体
【図１】
2005270013.tif 000003
【図２】
2005270013.tif 000004
【図３】
2005270013.tif 000005
【図４】
2005270013.tif 000006
【図５】
2005270013.tif 000007
【図６】
2005270013.tif 000008
【図７】
2005270013.tif 000009
【図８】
2005270013.tif 000010
【図９】
2005270013.tif 000011
【図１０】
2005270013.tif 000012
【図１１】
2005270013.tif 000013
【図１２】
2005270013.tif 000014